(57)【特許請求の範囲】
【請求項１】
上部一端側にプラスチック袋類の投入口を、他端側の側壁に搬出口を設けた装置本体と、
装置本体の投入口下方から搬出口にわたって水平配置した下側の刃付キャタピラコンベアと、
前記装置本体の投入口に搬入端を臨ませ、かつ、前記下側の刃付キャタピラコンベアに対して搬出端側の一辺を前記プラスチック袋類を挟み込み圧縮するように前記下側の刃付キャタピラコンベアと一定間隔ｔをもって対向配置するとともに、前記搬入端側の他辺が搬出端側の一辺と鈍角をなすように配置した上側の刃付キャタピラコンベアと、
前記各刃付キャタピラコンベアを異なる速度で駆動する駆動手段と、
を有し、
両刃付キャタピラコンベアによりプラスチック袋類を前記一定間隔ｔを有する領域で挟み込み圧縮しつつ前記刃により破袋し、前記搬出口から搬出するようにしたことを特徴とするプラスチック袋類の破袋処理装置。
【請求項２】
上部一端側にプラスチック袋類の投入口を、他端側の側壁上部に搬出口を設けた装置本体と、
装置本体の投入口下方から搬出口にわたって搬送路を曲げて配置した下側の刃付キャタピラコンベアと、
前記装置本体の投入口に搬入端を臨ませ、かつ、前記下側の刃付キャタピラコンベアの前記搬出口に向って上側に傾斜した搬送領域に対して搬出端側の一辺を前記プラスチック袋類を挟み込み圧縮するように前記下側の刃付キャタピラコンベアと一定間隔ｔをもって対向配置するとともに前記搬入端側の他辺が搬出端側の一辺と鈍角をなすように配置した上側の刃付キャタピラコンベアと、
前記各刃付キャタピラコンベアを異なる速度で駆動する駆動手段と、
を有し、
両刃付キャタピラコンベアによりプラスチック袋類を前記一定間隔ｔを有する領域で挟み込み圧縮しつつ前記刃により破袋し、前記搬出口から搬出するようにしたことを特徴とするプラスチック袋類の破袋処理装置。
【発明の詳細な説明】
【技術分野】
【０００１】
本発明は、プラスチック袋類の大小を問わず高い処理能率を発揮できるようにしたプラスチック袋類の破袋処理装置に関するものである。
【背景技術】
【０００２】
家庭ゴミ等を収納したプラスチック袋類を、市町村等の自治体が容器包装リサイクル方に基づいて収集し、処理する際に、そのプラスチック袋類を減容しゴミ処理業者に処理を委託することが日常行われている。
【０００３】
このようなプラスチック袋類の減容処理を行う場合には、破袋処理装置を用いてプラスチック袋類を破袋し中身を種類別に選別することが行われる。
しかし、従来の破袋処理装置の場合には、以下のような種々の問題を包含している。
【０００４】
すなわち、（１）ホッパーに投入したプラスチック袋類同士が重なり合い、破袋・搬送機構部に到達しない状態が生じてしまい、破袋処理を円滑に進行できないこと、（２）大きなプラスチック袋類内に入っている小袋を的確に破袋できず、小袋が破袋されないまま搬出されてしまうこと、（３）破袋処理装置の破袋・搬送機構部を構成するローラにプラスチック袋類が巻き付いてしまい、毎日の作業終了時に巻き付いたプラスチック袋類を手作業にて除去するという煩雑な作業が必要になること、（４）ホッパーに投入したプラスチック袋類に対する破袋・搬送機構部の処理能力を上げようとすると、破袋不良のプラスチック袋類が多発してしまい、破袋処理装置の処理能力の低下を招いてしまうこと、（５）破袋処理装置の構造において、ホッパーの開口部分の位置が床面からかなり高く、このためホッパーの開口部分までプラスチック袋類を搬送するコンベアを別途設けたり、破袋処理装置の周辺に２階建構造物のような投入専用の構造物を別途設けたりすることが必要になり、破袋処理装置全体の占有スペースの増大を招いてしまうこと。
【０００５】
特許文献１には、ペットボトル等の廃プラスチック類の減容を行うために、圧縮シリンダの先端に出没自在な突ピンを設けて、廃プラスチック類を圧縮しつつ突き破るように構成した廃プラスチック類の圧縮結束装置が提案されている。しかし、この特許文献１の圧縮結束装置においても、突ピンの個数には限度があるためプラスチック袋類を破袋する場合に既述した場合と同様小袋類が破袋されないまま搬出されてしまうという問題を包含している。
【特許文献１】特開平７−３１５３２７号公報
【発明の開示】
【発明が解決しようとする課題】
【０００６】
解決しようとする問題点は、簡略な構造で装置の占有スペースが少なく、プラスチック袋類の大小を問わず高い破袋処理能率を発揮し得る破袋処理装置が存在しない点である。
【課題を解決するための手段】
【０００７】
本発明のプラスチック袋類の破袋処理装置は、上部一端側にプラスチック袋類の投入口を、他端側の側壁に搬出口を設けた装置本体と、装置本体の投入口下方から搬出口にわたって水平配置した下側の刃付キャタピラコンベアと、前記装置本体の投入口に搬入端を臨ませ、かつ、前記下側の刃付キャタピラコンベアに対して搬出端側の一辺を前記プラスチック袋類を挟み込み圧縮するように前記下側の刃付キャタピラコンベアと一定間隔ｔをもって対向配置するとともに、前記搬入端側の他辺が搬出端側の一辺と鈍角をなすように配置した上側の刃付キャタピラコンベアと、前記各刃付キャタピラコンベアを異なる速度で駆動する駆動手段と、を有し、両刃付キャタピラコンベアによりプラスチック袋類を前記一定間隔ｔを有する領域で挟み込み圧縮しつつ前記刃により破袋し、前記搬出口から搬出するようにしたことを最も主要な特徴とする。
【発明の効果】
【０００８】
本発明によれば、以下の効果を奏する。
請求項１記載の発明によれば、上部一端側にプラスチック袋類の投入口を、他端側の側壁に搬出口を設けた装置本体と、装置本体の投入口下方から搬出口にわたって水平配置した下側の刃付キャタピラコンベアと、前記装置本体の投入口に搬入端を臨ませ、かつ、前記下側の刃付キャタピラコンベアに対して搬出端側の一辺を前記プラスチック袋類を挟み込み圧縮するように前記下側の刃付キャタピラコンベアと一定間隔ｔをもって対向配置するとともに、前記搬入端側の他辺が搬出端側の一辺と鈍角をなすように配置した上側の刃付キャタピラコンベアと、前記各刃付キャタピラコンベアを異なる速度で駆動する駆動手段を有する構成とし、両刃付キャタピラコンベアによりプラスチック袋類を前記一定間隔ｔを有する領域で挟み込み圧縮しつつ前記刃により破袋し、前記搬出口から搬出するようにしたことにより、簡略な構造でありながらプラスチック袋類の大小を問わず高い破袋処理能率を発揮させることができる。また、装置本体における投入口、搬出口の配置を上記構成とすることで、装置本体の高さ寸法を従来例に比較し相対的に低くすることができ、搬入コンベア等が不要となり、この破袋処理装置全体の占有スペースの増大を回避できる。
【００１０】
請求項２記載の発明によれば、上部一端側にプラスチック袋類の投入口を、他端側の側壁上部に搬出口を設けた装置本体と、装置本体の投入口下方から搬出口にわたって搬送路を曲げて配置した下側の刃付キャタピラコンベアと、前記装置本体の投入口に搬入端を臨ませ、かつ、前記下側の刃付キャタピラコンベアの前記搬出口に向って上側に傾斜した搬送領域に対して搬出端側の一辺を前記プラスチック袋類を挟み込み圧縮するように前記下側の刃付キャタピラコンベアと一定間隔ｔをもって対向配置するとともに前記搬入端側の他辺が搬出端側の一辺と鈍角をなすように配置した上側の刃付キャタピラコンベアと、前記各刃付キャタピラコンベアを異なる速度で駆動する駆動手段と、を有し、両刃付キャタピラコンベアによりプラスチック袋類を前記一定間隔ｔを有する領域で挟み込み圧縮しつつ前記刃により破袋し、前記搬出口から搬出するようにしたものである。
従って、簡略な構造でありながらプラスチック袋類の大小を問わず高い破袋処理能率を発揮させることができる。また、装置本体における投入口、搬出口の配置を上記構成とすることで、装置本体の高さ寸法を従来例に比較し相対的に低くすることができるとともに投入口、搬出口の配置の自由度を高めることもでき、更に搬入コンベア等が不要となり、この破袋処理装置全体の占有スペースの増大を回避できる。
【発明を実施するための最良の形態】
【００１１】
簡略な構造で装置の占有スペースが少なく、プラスチック袋類の大小を問わず高い破袋処理能率を発揮させるという目的を、上部一端側にプラスチック袋類の投入口を、他端側の側壁に搬出口を設けた装置本体と、装置本体の投入口下方から搬出口にわたって水平配置した下側の刃付キャタピラコンベアと、前記装置本体の投入口に搬入端を臨ませ、かつ、前記下側の刃付キャタピラコンベアに対して搬出端側の一辺を前記プラスチック袋類を挟み込み圧縮するように前記下側の刃付キャタピラコンベアと一定間隔ｔをもって対向配置するとともに、前記搬入端側の他辺が搬出端側の一辺と鈍角をなすように配置した上側の刃付キャタピラコンベアと、前記各刃付キャタピラコンベアを異なる速度で駆動する駆動手段と、を有し、両刃付キャタピラコンベアによりプラスチック袋類を前記一定間隔ｔを有する領域で挟み込み圧縮しつつ前記刃により破袋し、前記搬出口から搬出するようにした構成により達成した。
【実施例】
【００１２】
以下に、本発明の実施例を詳細に説明する。
（実施例１）
図１、図２を参照して本発明の実施例１のプラスチック袋類Ｐの破袋処理装置について説明する。
【００１３】
図１に示す本実施例１の破袋処理装置１は、上部一端側にプラスチック袋類Ｐの投入口（ホッパ）３を、他端側の側壁２ａに破袋後のプラスチック袋類Ｐ’用の搬出口４を設けた全体として直方体箱型状の装置本体２と、この装置本体２の前記投入口３の下方の位置から搬出口４にわたって水平配置した破袋・搬送機構部を構成する下側の刃付キャタピラコンベア１０と、前記装置本体２の投入口３に搬入端を臨ませ、且つ、前記下側の刃付キャタピラコンベア１０に対して搬出端側の一辺を前記プラスチック袋類Ｐを挟み込み圧縮可能なように一定間隔ｔをもって対向配置した破袋・搬送機構部を構成する上側の刃付キャタピラコンベア２０と、前記各刃付キャタピラコンベア１０，２０を異なる速度で、且つ、各々図１に示す矢印方向に駆動する詳細は後述する駆動手段４０とを有ししている。  
【００１４】
下側の刃付キャタピラコンベア１０は、投入口３の下方の位置と、搬出口４の近傍位置とに配置した第１キャタピラ用プーリ１１、第２キャタピラ用プーリ１２に外周に所定間隔で刃１５を有する刃付チェーン１３を架け渡して構成している。
【００１５】
また、上側の刃付キャタピラコンベア２０は、投入口３の近傍位置と、前記下側の刃付キャタピラコンベア１０の略中間位置と、搬出口４の近傍位置とに、各々第３キャタピラ用プーリ２１、第４キャタピラ用プーリ２２及び第５キャタピラ用プーリ２３とを配置し、これらに対して外周に所定間隔で刃２５を有する刃付チェーン２４を架け渡して構成している。前記刃付チェーン２４が前記第４キャタピラ用プーリ２２の両側においてなす角度θは鈍角を形成するようになっている。
【００１６】
前記投入口３を構成する一方側の投入案内板３ａは、装置本体２の上部一端側から前記第１キャタピラ用プーリ１１の近傍位置を占める配置とし、また、投入口３を構成する他方側の投入案内板３ｂは、前記第３キャタピラ用プーリ２１の上部に配置している。
【００１７】
図２は、本実施例１の破袋処理装置１の制御系を示すものであり、例えば前記第２キャタピラ用プーリ１２、第５キャタピラ用プーリ２３に各々連結した駆動手段４０を構成する下モータ４１、上モータ４３と、下モータ４１を回転駆動する下モータドライバ４２と、上モータ４３を回転駆動する上モータドライバ４４と、下モータドライバ４２及び上モータドライバ４４を制御する制御部４５と、この制御部４５に対して前記下側の刃付キャタピラコンベア１０と、上側の刃付キャタピラコンベア２０とを異なる速度で駆動するための速度設定信号を例えばテンキー入力等で入力する速度設定部４６とを具備している。
下側の刃付キャタピラコンベア１０と、上側の刃付キャタピラコンベア２０との速度の関係は、下側の刃付キャタピラコンベア１０を上側の刃付キャタピラコンベア２０よりも速く、又は、下側の刃付キャタピラコンベア１０を上側の刃付キャタピラコンベア２０よりも遅くというように設定する。
【００１８】
次に上述した構成の本実施例１の破袋処理装置１の作用について説明する。
この破袋処理装置１によれば、装置本体２の上部一端側にプラスチック袋類Ｐの投入口３を、他端側の側壁に搬出口４を設けることにより装置本体２を構成している。
従って、プラスチック袋類Ｐの投入位置と搬出口４との位置関係が垂直方向の上下の関係ではなくなり、これにより、装置本体２の高さ寸法を従来例に比較して相対的に低くすることができ、別途搬入コンベア等を設けることが不要となり、この破袋処理装置１全体の占有スペースの増大を回避できる。
【００１９】
また、速度の異なる下側の刃付キャタピラコンベア１０と、上側の刃付キャタピラコンベア２０とにより、投入口３から投入されたプラスチック袋類Ｐを挟み込み一定間隔ｔで対向する領域で圧縮しつつ、各々に設けた前記刃１５，２５をプラスチック袋類Ｐに突き刺すようにして破袋する。これにより、前記両刃付キャタピラコンベア１０、２０の一定間隔ｔで対向する領域でプラスチック袋類Ｐを恰も固定するような状態として前記刃１５，２５による破袋時の応力の逃げを回避しつつプラスチック袋類Ｐを破袋することが可能となって、プラスチック袋類Ｐ、このプラスチック袋類Ｐより小さいプラスチック袋類Ｐ１のようにその大小を問わずいずれの場合にも高能率で破袋処理できる。
【００２０】
更に、本実施例１の破袋処理装置１によれば、速度の異なる下側の刃付キャタピラコンベア１０と、上側の刃付キャタピラコンベア２０とが破袋処理時常に回転移動しているため、投入口３から投入されたプラスチック袋類Ｐを順に挟み込んで一定間隔ｔで対向する領域に送ることができ、従来例で述べたブリッジ現象により破袋不良の状態が生じる事態を無くすことができる。
本実施例１の破袋処理装置１によれば、以上述べた構成、作用により、従来例におけるプラスチック袋類Ｐの破袋率５０乃至９０％を、破袋率９０乃至９５％に向上できることが判明した。
【００２１】
（実施例２）
図３、図４を参照して本発明の実施例２のプラスチック袋類Ｐの破袋処理装置５１について説明する。
本発明の実施例２の破袋処理装置５１は、図３に示すように、上部一端側にプラスチック袋類Ｐの投入口（ホッパ）５３を、他端側の側壁５２ａの上部側に破袋後のプラスチック袋類Ｐ’用の搬出口５４を設けた全体として直方体箱型状の装置本体５２と、この装置本体５２の前記投入口５３の下方の位置から搬出口５４にわたってこの搬出口５４に向って上側に傾斜した搬送路を形成するように鈍角を呈する角度θ曲げて配置した破袋・搬送機構部を構成する下側の刃付キャタピラコンベア６０と、前記装置本体５２の投入口５３に搬入端を臨ませ、且つ、前記下側の刃付キャタピラコンベア６０に対して搬出端側の一辺を前記プラスチック袋類Ｐを挟み込み圧縮可能なように一定間隔ｔをもって対向配置した破袋・搬送機構部を構成する上側の刃付キャタピラコンベア７０と、前記各刃付キャタピラコンベア６０，７０を異なる速度で、且つ、各々図３に示す矢印方向に駆動する詳細は後述する駆動手段８０とを有ししている。
【００２２】
下側の刃付キャタピラコンベア６０は、投入口５３の下方の位置と、搬出口５４の近傍位置とに配置した第１キャタピラ用プーリ６１、第２キャタピラ用プーリ６２に外周に所定間隔で刃１５を有する刃付チェーン６３を架け渡して構成している。下側の刃付キャタピラコンベア６０の角度θをもって曲げた位置には、上下配置に各々位置規制部材６４、６５を設けて下側の刃付キャタピラコンベア６０の角度θをもった移動を確保するようになっている。
【００２３】
また、上側の刃付キャタピラコンベア７０は、投入口５３の近傍位置と、前記下側の刃付キャタピラコンベア６０の略中間位置と、搬出口５４の近傍位置とに、各々第３キャタピラ用プーリ７１、第４キャタピラ用プーリ７２及び第５キャタピラ用プーリ７３とを配置し、これらに対して外周に所定間隔で刃２５を有する刃付チェーン７４を架け渡して構成している。
【００２４】
前記投入口５３を構成する一方側の投入案内板５３ａは、装置本体５２の上部一端側から前記第１キャタピラ用プーリ６１の近傍位置を占める配置とし、また、投入口５３を構成する他方側の投入案内板５３ｂは、前記第３キャタピラ用プーリ７１の上部に配置している。
【００２５】
図４は、本実施例２の破袋処理装置５１の制御系を示すものであり、例えば前記第２キャタピラ用プーリ６２、第５キャタピラ用プーリ７３に各々連結した下モータ８１、上モータ８３と、下モータ８１を回転駆動する下モータドライバ８２と、上モータ８３を回転駆動する上モータドライバ８４と、下モータドライバ８２及び上モータドライバ８４を制御する制御部８５と、この制御部８５に対して前記下側の刃付キャタピラコンベア６０と、上側の刃付キャタピラコンベア７０とを異なる速度で駆動するための速度設定信号を例えばテンキー入力等で入力する速度設定部８６とを具備している。
下側の刃付キャタピラコンベア６０と、上側の刃付キャタピラコンベア７０との速度の関係は、下側の刃付キャタピラコンベア６０を上側の刃付キャタピラコンベア０よりも速く、又は、下側の刃付キャタピラコンベア６０を上側の刃付キャタピラコンベア７０よりも遅くというように設定する。
【００２６】
次に上述した構成の本実施例２の破袋処理装置５１の作用について説明する。  この破袋処理装置５１によれば、装置本体５２の上部一端側にプラスチック袋類Ｐの投入口５３を、他端側の側壁５２ａの上部側に搬出口５４を設けることにより装置本体５２を構成している。
【００２７】
従って、プラスチック袋類Ｐの投入位置と搬出口５４との位置関係が垂直方向の上下の関係ではなくなり、これにより、装置本体５２の高さ寸法を従来例に比較し相対的に低くすることができ、別途搬入コンベア等を設けることが不要となり、この破袋処理装置５１全体の占有スペースの増大を回避できる。
【００２８】
また、速度の異なる下側の刃付キャタピラコンベア６０と、上側の刃付キャタピラコンベア７０とにより、投入口５３から投入されたプラスチック袋類Ｐを挟み込み一定間隔ｔで対向する領域で圧縮しつつ、各々に設けた前記刃１５，２５をプラスチック袋類Ｐに突き刺すようにして破袋する。これにより、前記両刃付キャタピラコンベア６０、７０の一定間隔ｔで対向する領域でプラスチック袋類Ｐを恰も固定するような状態として前記刃１５、２５による破袋時の応力の逃げを回避しつつプラスチック袋類Ｐを破袋することが可能となって、実施例１の場合と同様、プラスチック袋類Ｐ、このプラスチック袋類Ｐより小さいプラスチック袋類Ｐ１のようにその大小を問わずいずれの場合においても高能率で破袋処理できる。
【００２９】
更に、本実施例２の破袋処理装置１によれば、速度の異なる下側の刃付キャタピラコンベア６０と、上側の刃付キャタピラコンベア６０とが破袋処理時常に回転移動しているため、投入口５３から投入されたプラスチック袋類Ｐを順に挟み込んで一定間隔ｔで対向する領域に送ることができ、従来例で述べたブリッジ現象により破袋不良の状態が生じる事態を無くすことができる。
【００３０】
本実施例２の破袋処理装置１によっても、以上述べた構成、作用により、従来例におけるプラスチック袋類Ｐの破袋率５０乃至９０％を、実施例１の場合と同様、破袋率９０乃至９５％に向上できることが判明した。
【産業上の利用可能性】
【００３１】
本発明は、上述したプラスチック袋類Ｐの破袋処理に適用する場合の他、ペットボトル類等ような異なる種類のプラスチック類の破袋処理にも幅広く適用可能である。
【図面の簡単な説明】
【００３２】
【図１】本発明の実施例１のプラスチック袋類の破袋処理装置の構成を示す概略断面図である。
【図２】本発明の実施例１のプラスチック袋類の破袋処理装置の制御系を示すブロック図である。
【図３】本発明の実施例２のプラスチック袋類の破袋処理装置の構成を示す概略断面図である。
【図４】本発明の実施例２のプラスチック袋類の破袋処理装置の制御系を示すブロック図である。
【符号の説明】
【００３３】
１    破袋処理装置
２    装置本体
２ａ  側壁
３    投入口
３ａ  投入案内板
３ｂ  投入案内板
４    搬出口
１０    下側の刃付キャタピラコンベア
１１    第１キャタピラ用プーリ
１２    第２キャタピラ用プーリ
１３    刃付チェーン
１５    刃
２０    上側の刃付キャタピラコンベア
２１    第３キャタピラ用プーリ
２２    第４キャタピラ用プーリ
２３    第５キャタピラ用プーリ
２４    刃付チェーン
２５    刃
４０    駆動手段
４１    下モータ
４２    下モータドライバ
４３    上モータ
４４    上モータドライバ
４５    制御部
４６    速度設定部
５１    破袋処理装置
５２    装置本体
５２ａ  側壁
５３    投入口
５３ａ  投入案内板
５３ｂ  投入案内板
５４    搬出口
６０    下側の刃付キャタピラコンベア
６１    第１キャタピラ用プーリ
６２    第２キャタピラ用プーリ
６３    刃付チェーン
６４    位置規制部材
６５    位置規制部材
７０    上側の刃付キャタピラコンベア
７１    第３キャタピラ用プーリ
７２    第４キャタピラ用プーリ
７３    第５キャタピラ用プーリ
７４    刃付チェーン
８０    駆動手段
８１    下モータ
８２    下モータドライバ
８３    上モータ
８４    上モータドライバ
８５    制御部
８６    速度設定部
Ｐ    プラスチック袋類
Ｐ’  プラスチック袋類
Ｐ１  プラスチック袋類
【図１】
0004680524.tif 000002
【図２】
0004680524.tif 000003
【図３】
0004680524.tif 000004
【図４】
0004680524.tif 000005